(57)【要約】【課題】使用準備操作を行ってから所定時間内に、正しい解除コードが操作キーから入力されない場合には、静止画像がメモリーへ格納され、これにより、不正使用者の特定が可能な携帯端末の提供。【解決手段】液晶パネル２３、カメラ２１、およびスピーカー２２を組み込んだ上側筐体２と、マイク１１、および複数個の操作キー１２を組み込んだ下側筐体１とを備え、二つ折り状態で放置した携帯電話Ａの上側筐体２を開くとカメラ２１が撮影を行い、筐体を開いてから５秒以内に正しい解除コードを操作キー１２で入力した場合には静止画像４２をメモリーへ格納せず、正しい解除コードが入力されない場合には静止画像４２をメモリーに格納する。【選択図】図１
2007053646.tif 000002
【特許請求の範囲】
【請求項１】
数字や文字等を刻印した操作キーと、
生体情報を取り込むためのバイオセンサーと、
様々な通信情報を表示する表示パネルと、
撮影が可能なカメラと、
スピーカーおよびマイクと、
無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと所有者の生体情報とが格納され、
前記操作キーを押圧する等の使用準備操作を前記監視プログラムが検知すると、前記制御部が前記カメラを作動状態にするとともに、
前記使用準備操作の検知から設定時間内に、前記バイオセンサーから前記所有者の生体情報が取り込まれて所有者確認ができた場合には前記カメラが撮影した静止画像を前記メモリーへ格納せず、
前記所有者の生体情報が取り込まれず、前記所有者確認ができなかった場合には格納することを特徴とする携帯端末。
【請求項２】
数字や文字等を刻印した操作キーと、
様々な通信情報を表示する表示パネルと、
撮影が可能なカメラと、
スピーカーおよびマイクと、
無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと解除コードとが格納され、
前記操作キーを押圧する等の使用準備操作を前記監視プログラムが検知すると、前記制御部が前記カメラを作動状態にするとともに、
前記使用準備操作の検知から設定時間内に、前記操作キーにより正しい解除コードが入力されて所有者確認ができた場合には前記カメラが撮影した静止画像を前記メモリーへ格納せず、
前記正しい解除コードが入力されず、前記所有者確認ができなかった場合には格納することを特徴とする携帯端末。
【請求項３】
画像データを含む様々な通信情報を表示する表示パネル、復調された音声信号を再生するためのスピーカー、および撮影が可能なカメラを組み込んだ表示盤と、
音声を捉えるマイクを組み込むとともに、数字や文字等を刻印した複数個の操作キーを配列した操作盤と、
受信した変調電波を復調するとともに、変調した電波を送信する無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと解除コードとが格納され、
前記操作盤の上面に前記表示盤が覆っている状態から操作盤上面が露出する様に前記表示盤を動かす等の使用準備操作を前記監視プログラムが検知すると、前記制御部が前記カメラを作動状態にするとともに、
前記使用準備操作の検知から設定時間内に、前記操作キーにより正しい解除コードが入力されて所有者確認ができた場合には前記カメラが撮影した静止画像を前記メモリーへ格納せず、
前記正しい解除コードが入力されず、前記所有者確認ができなかった場合には格納することを特徴とする携帯端末。
【請求項４】
前記使用準備操作を前記監視プログラムが検知すると、前記制御部が内部時計の日時データや位置データを取得し、前記所有者確認ができなかった場合には、前記静止画像とともに、これらのデータを前記メモリーに格納することを特徴とする請求項１乃至請求項３の何れかに記載の携帯端末。
【請求項５】
前記静止画像の前記メモリーへの格納が設定回数に達すると、前記制御部は、予め設定したアドレスへ格納データの送信を前記通信部に指示することを特徴とする請求項１乃至請求項４の何れかに記載の携帯端末。
【請求項６】
数字や文字等を刻印した操作キーと、
生体情報を取り込むためのバイオセンサーと、
様々な通信情報を表示する表示パネルと、
動画像の撮影が可能なカメラと、
スピーカーおよびマイクと、
無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと所有者の生体情報とが格納され、
前記操作キーを押圧する等の使用準備操作を前記監視プログラムが検知すると、前記制御部が前記カメラおよび前記マイクを所定時間、作動状態にして、音声付きで動画像を撮影して前記メモリーへ格納していき、
前記所定時間の終了から設定時間内に前記バイオセンサーから前記所有者の生体情報が取り込まれて所有者確認ができた場合には、前記メモリーへ格納された格納データを削除し、
前記所有者の生体情報が取り込まれず、前記所有者確認ができなかった場合には前記格納データを残すことを特徴とする携帯端末。
【請求項７】
数字や文字等を刻印した操作キーと、
様々な通信情報を表示する表示パネルと、
動画像の撮影が可能なカメラと、
スピーカーおよびマイクと、
無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと解除コードとが格納され、
前記操作キーを押圧する等の使用準備操作を前記監視プログラムが検知すると、前記制御部が前記カメラおよび前記マイクを所定時間、作動状態にして、音声付きで動画像を撮影して前記メモリーへ格納していき、
前記所定時間の終了から設定時間内に前記操作キーにより正しい解除コードが入力されて所有者確認ができた場合には、前記メモリーへ格納された格納データを削除し、
前記正しい解除コードが入力されず、前記所有者確認ができなかった場合には前記格納データを残すことを特徴とする携帯端末。
【請求項８】
画像データを含む様々な通信情報を表示する表示パネル、復調された音声信号を再生するためのスピーカー、および動画像の撮影が可能なカメラを組み込んだ表示盤と、
音声を捉えるマイクを組み込むとともに、数字や文字等を刻印した複数個の操作キーを配列した操作盤と、
受信した変調電波を復調するとともに、変調した電波を送信する無線通信を行う通信部と、
メモリーおよびマイクロコンピューターを有し、前記操作キーを操作すると、プログラムに基づいて、前記表示パネル、前記カメラ、および前記通信部を制御する制御部とを具備する携帯端末であって、
前記メモリーには、所有者以外の使用を監視する監視プログラムと解除コードとが格納され、
前記操作盤の上面に前記表示盤が覆っている状態から操作盤上面が露出する様に前記表示盤を動かす等の使用準備操作を前記監視プログラムが検知すると、前記制御部が前記カメラおよび前記マイクを所定時間、作動状態にして、音声付きで動画像を撮影して前記メモリーへ格納していき、
前記所定時間の終了から設定時間内に前記操作キーにより正しい解除コードが入力されて所有者確認ができた場合には、前記メモリーへ格納された格納データを削除し、
前記正しい解除コードが入力されず、前記所有者確認ができなかった場合には前記格納データを残すことを特徴とする携帯端末。
【請求項９】
前記使用準備操作を前記監視プログラムが検知すると、前記制御部が内部時計の日時データや位置データを取得して、前記動画像とともに前記メモリーへ格納し、
所有者確認ができた場合には、前記メモリーへ格納された全てのデータを削除し、
前記所有者確認ができなかった場合には、格納データを前記メモリーに残すことを特徴とする請求項６乃至請求項８の何れかに記載の携帯端末。
【請求項１０】
前記メモリーに残ったデータが所定量に達すると、前記制御部は、予め設定したアドレスへ前記格納データの送信を前記通信部に指示することを特徴とする請求項６乃至請求項９の何れかに記載の携帯端末。
【発明の詳細な説明】
【技術分野】
【０００１】
本発明は、不正使用者の特定が可能で、防犯監視が可能な携帯端末に関する。
【背景技術】
【０００２】
正規の所有者は、自分の携帯端末（携帯電話やＰＤＡ等）を常に携帯している訳ではない。
例えば、自宅では、入浴中や就寝中は、携帯しない。また、部屋等に置き忘れたり、脱いだ服のポケットに入れたまま外出する場合もある。
一方、職場では、机の上に置いたりロッカーや机の中に入れた状態で席を離れる場合や、外出先に忘れてきたりする場合がある。
【０００３】
携帯端末には、通信履歴、電話番号やメールアドレスを格納したアドレス帳、送信メールや受信メールの内容、ダウンロード画像、および撮影画像等が格納されている。
このため、家族や会社の同僚が好奇心で、二つ折り状態の携帯電話の上側筐体を開いて（使用準備動作）、上記格納情報を見たり通信を行う等の行為（不正使用）を行う場合がある。
携帯端末が不正使用されると、家庭不和の原因になったり、通信先に迷惑をかけたり、多額の請求が所有者に来たりする。
【０００４】
操作部から入力した暗証番号が連続して所定回数誤りの場合には、不正利用であると判断し、撮影部が不正利用者を撮影し、その撮影データを登録先へ送信する携帯端末が存在する（特許文献１参照）。
【特許文献１】特開２００３−１０１６４０号公報
【発明の開示】
【発明が解決しようとする課題】
【０００５】
しかし、上記の携帯端末は、下記に示す課題がある。
所有者が席を離れている時に、不正利用者が携帯端末を不正利用しようと思い、携帯端末の上側筐体を開いて表示部を見ると暗証番号の入力欄が表示される。これを見て不正利用者が不正利用を断念した場合には撮影がなされない。
また、不正利用者が誤った暗証番号を入力しても、所定回数未満で止めれば撮影されないという盲点がある。
【０００６】
更に、誤った暗証番号を入力しても、所有者の正しい暗証番号の入力で誤回数がクリアされてしまうので、不正利用を試みる不正利用者は、不正利用ができる機会が有る毎に、異なる暗証番号の入力を試みるので、何れは合致して不正利用されてしまう虞がある。
つまり、上記の携帯端末では、不正利用を中止した者を撮影することができないとともに、不正利用者が上記盲点を知っていると不正利用されてしまう虞がある。
【０００７】
本発明の第１の目的は、使用準備操作を行ってから所定時間内に、バイオセンサーから所有者本人の生体情報が取り込まれない場合には、静止画像がメモリーへ格納され、これにより、不正使用者の特定が可能な携帯端末の提供にある。
本発明の第２の目的は、使用準備操作を行ってから所定時間内に、正しい解除コードが操作キーから入力されない場合には、静止画像がメモリーへ格納され、これにより、不正使用者の特定が可能な携帯端末の提供にある。
本発明の第３の目的は、設定時間内に、バイオセンサーから所有者本人の生体情報が取り込まれなかった場合には、音声付きの動画像がメモリーに残り、これにより、不正使用者の特定が可能な携帯端末の提供にある。
本発明の第４の目的は、設定時間内に、正しい解除コードが操作キーから入力されなかった場合には、音声付きの動画像がメモリーに残り、これにより、不正使用者の特定が可能な携帯端末の提供にある。
【課題を解決するための手段】
【０００８】
〔請求項１について〕
携帯端末は、数字や文字等を刻印した操作キーと、生体情報（指紋等）を取り込むためのバイオセンサーと、様々な通信情報を表示する表示パネルと、撮影が可能なカメラと、スピーカーおよびマイクと、無線通信を行う通信部と、メモリーおよびマイクロコンピューターを有し、操作キーを操作すると、プログラムに基づいて、表示パネル、カメラ、および通信部を制御する制御部とを具備する。
【０００９】
制御部のメモリーには、携帯端末の所有者以外の使用（不正使用）を監視する監視プログラムと、所有者の生体情報とが格納されている。
操作キーを押圧する等の使用準備操作を監視プログラムが検知すると、制御部がカメラを作動状態にして静止画像を撮影する。
【００１０】
使用準備操作を行ったのが携帯端末の所有者の場合には、使用準備操作の検知から設定時間内に、バイオセンサーから自分（所有者本人）の生体情報を取り込ませ、所有者確認がなされる。
この場合には、カメラが撮影した静止画像を制御部がメモリーへ格納せず、監視プログラムを終了する。そして、通常のプログラムが有効になり、所有者が操作キーを操作すると、操作キーの種別に対応して、表示パネル、カメラ、および通信部が制御される。
【００１１】
使用準備操作を行ったのが不正使用者（所有者以外）の場合には、不正使用者と所有者とは生体情報が異なるので、設定時間内にバイオセンサーから所有者の生体情報を取り込ませることができない。この場合には、設定時間が経過すると、カメラが撮影した静止画像を制御部がメモリーへ格納する。
【００１２】
携帯端末は、使用準備操作を行うと、監視プログラムにより制御部がカメラを作動状態にして静止画像を撮影するので、使用準備操作を行った不正使用者の容姿を撮影できる可能性が高い。そして、メモリーに格納された静止画像を所有者が見ることにより不正使用者を容易に特定できる。また、本人確認が指紋等の生体情報であるので、忘れたり紛失したりすることがないとともに、不正使用者に盗用されない。
【００１３】
〔請求項２について〕
携帯端末は、数字や文字等を刻印した操作キーと、様々な通信情報を表示する表示パネルと、撮影が可能なカメラと、スピーカーおよびマイクと、無線通信を行う通信部と、メモリーおよびマイクロコンピューターを有し、操作キーを操作すると、プログラムに基づいて、表示パネル、カメラ、および通信部を制御する制御部とを具備する。
【００１４】
制御部のメモリーには、携帯端末の所有者以外の使用（不正使用）を監視する監視プログラムと、所有者が設定した解除コードとが格納されている。
操作キーを押圧する等の使用準備操作を監視プログラムが検知すると、制御部がカメラを作動状態にして静止画像を撮影する。
【００１５】
使用準備操作を行ったのが携帯端末の所有者の場合には、使用準備操作の検知から設定時間内に、正しい解除コードを操作キーにより入力する。
この場合には、カメラが撮影した静止画像を制御部がメモリーへ格納せず、監視プログラムを終了する。そして、通常のプログラムが有効になり、所有者が操作キーを操作すると、操作キーの種別に対応して、表示パネル、カメラ、および通信部が制御される。
【００１６】
使用準備操作を行ったのが不正使用者（所有者以外）の場合には、設定時間内に正しい解除コードを入力できないので、設定時間が経過すると、カメラが撮影した静止画像を制御部がメモリーへ格納する。
【００１７】
携帯端末は、使用準備操作を行うと、監視プログラムにより制御部がカメラを作動状態にして静止画像を撮影するので、使用準備操作を行った不正使用者の容姿を撮影できる可能性が高い。そして、メモリーに格納された静止画像を所有者が見ることにより不正使用者を容易に特定できる。
【００１８】
〔請求項３について〕
携帯端末は、画像データを含む様々な通信情報を表示する表示パネル、復調された音声信号を再生するためのスピーカー、および撮影が可能なカメラを組み込んだ表示盤と、音声を捉えるマイクを組み込むとともに、数字や文字等を刻印した複数個の操作キーを配列した操作盤と、受信した変調電波を復調するとともに、変調した電波を送信する無線通信を行う通信部と、メモリーおよびマイクロコンピューターを有し、操作キーを操作すると、プログラムに基づいて、表示パネル、カメラ、および通信部を制御する制御部とを具備する。
【００１９】
制御部のメモリーには、携帯端末の所有者以外の使用（不正使用）を監視する監視プログラムと、所有者が設定した解除コードとが格納されている。
操作盤の上面に表示盤が覆っている状態から操作盤上面が露出する様に表示盤を動かす（跳ね上げる、捩じる）等の使用準備操作を監視プログラムが検知し、制御部が表示盤に組み込んだカメラを作動状態にして静止画像を撮影する。
【００２０】
使用準備操作を行ったのが携帯端末の所有者の場合には、使用準備操作の検知から設定時間内に、正しい解除コードを操作キーにより入力する。
この場合には、カメラが撮影した静止画像を制御部がメモリーへ格納せず、監視プログラムを終了する。そして、通常のプログラムが有効になり、所有者が操作キーを操作すると、操作キーの種別に対応して、表示パネル、カメラ、および通信部が制御される。
【００２１】
使用準備操作を行ったのが不正使用者（所有者以外）の場合には、設定時間内に正しい解除コードを入力できないので、設定時間が経過すると、カメラが撮影した静止画像を制御部がメモリーへ格納する。
【００２２】
携帯端末は、使用準備操作を行うと、不正使用者の方向に臨む表示盤に組み込んだカメラを作動状態にして静止画像を撮影するので、使用準備操作を行った不正使用者の容姿を撮影できる可能性が極めて高い。そして、メモリーに格納された静止画像を所有者が見ることにより不正使用者を容易に特定できる。
【００２３】
〔請求項４について〕
携帯端末は、所有者または不正使用者によって使用準備操作が行われると、監視プログラムがこれを検知し、制御部が内部時計の日時データや位置データ（ＧＰＳ機能等で取得）を取得する。
そして、使用準備操作の検知から所定時間内に所有者確認ができなかった場合には、カメラが撮影した静止画像とともに、これらのデータを制御部がメモリーに格納する。
このため、メモリーに格納されたデータを所有者が調べれば、不正使用者が使用準備操作を行った日時や場所が判る。
【００２４】
〔請求項５について〕
不正使用者が不正に使用準備操作を所定回数以上行った場合には、静止画像のメモリーへの格納が設定回数に達する。
この場合には、予め設定したアドレスへの格納データ（静止画像、日時データ、位置データ）の送信を制御部が通信部に指示し、そのアドレスへデータが送信される。
これにより、不正使用者の静止画像等を所有者が見ることができ、早期に対応することができる。
【００２５】
〔請求項６について〕
携帯端末は、数字や文字等を刻印した操作キーと、生体情報（指紋等）を取り込むためのバイオセンサーと、様々な通信情報を表示する表示パネルと、動画像の撮影が可能なカメラと、スピーカーおよびマイクと、無線通信を行う通信部と、メモリーおよびマイクロコンピューターを有し、操作キーを操作すると、プログラムに基づいて、表示パネル、カメラ、および通信部を制御する制御部とを具備する。
【００２６】
制御部のメモリーには、携帯端末の所有者以外の使用（不正使用）を監視する監視プログラムと、所有者の生体情報とが格納されている。
操作キーを押圧する等の使用準備操作を監視プログラムが検知すると、制御部がカメラおよびマイクを作動状態にして、音声付きの動画像を撮影してメモリーへ格納していく。なお、音声データや動画像データは、ビデオＲＡＭでの一時記憶ができないのでメモリーへ格納する必要がある。
【００２７】
使用準備操作を行ったのが携帯端末の所有者の場合には、所定時間の終了から設定時間内に、バイオセンサーから自分（所有者本人）の生体情報を取り込ませ、所有者確認がなされる。
この場合には、メモリーへ格納された格納データを削除し、監視プログラムを終了する。そして、通常のプログラムが有効になり、所有者が操作キーを操作すると、操作キーの種別に対応して、表示パネル、カメラ、および通信部が制御される。
【００２８】
使用準備操作を行ったのが不正使用者（所有者以外）の場合には、不正使用者と所有者とは生体情報が異なるので、設定時間内にバイオセンサーから所有者の生体情報を取り込ませることができない。この場合には、メモリーに格納された格納データ（音声データおよび動画像データ）が削除されずに残る。
【００２９】
携帯端末は、使用準備操作を行うと、監視プログラムにより制御部がカメラおよびマイクを所定時間、作動状態にして、音声付きの動画像を撮影してメモリーへ格納するので、使用準備操作を行った不正使用者の容姿が映っている可能性が高い。そして、メモリーに格納された音声付きの動画像を所有者が見ることにより不正使用者を容易に特定できる。また、本人確認が指紋等の生体情報であるので、忘れたり紛失したりすることがないとともに、不正使用者に盗用されない。
【００３０】
〔請求項７について〕
携帯端末は、数字や文字等を刻印した操作キーと、様々な通信情報を表示する表示パネルと、動画像の撮影が可能なカメラと、スピーカーおよびマイクと、無線通信を行う通信部と、メモリーおよびマイクロコンピューターを有し、操作キーを操作すると、プログラムに基づいて、表示パネル、カメラ、および通信部を制御する制御部とを具備する。
【００３１】
制御部のメモリーには、携帯端末の所有者以外の使用（不正使用）を監視する監視プログラムと、所有者が設定した解除コードとが格納されている。
操作キーを押圧する等の使用準備操作を監視プログラムが検知すると、制御部がカメラおよびマイクを作動状態にして、音声付きの動画像を撮影してメモリーへ格納していく。なお、音声データや動画像データは、ビデオＲＡＭでの一時記憶ができないのでメモリーへ格納する必要がある。
【００３２】
使用準備操作を行ったのが携帯端末の所有者の場合には、所定時間の終了から設定時間内に、操作キーから正しい解除コードを入力して所有者確認を行う。この場合には、メモリーへ格納された格納データを削除し、監視プログラムを終了する。そして、通常のプログラムが有効になり、所有者が操作キーを操作すると、操作キーの種別に対応して、表示パネル、カメラ、および通信部が制御される。
【００３３】
使用準備操作を行ったのが不正使用者（所有者以外）の場合には、設定時間内に正しい解除コードを入力できないので、メモリーに格納された格納データ（音声データおよび動画像データ）が削除されずに残る。
【００３４】
携帯端末は、使用準備操作を行うと、監視プログラムにより制御部がカメラおよびマイクを所定時間、作動状態にして音声付きの動画像を撮影するので、使用準備操作を行った不正使用者が映る可能性が高い。そして、メモリーに格納された音声付きの動画像を所有者が見ることにより不正使用者を容易に特定できる。
【００３５】
〔請求項８について〕
携帯端末は、画像データを含む様々な通信情報を表示する表示パネル、復調された音声信号を再生するためのスピーカー、および撮影が可能なカメラを組み込んだ表示盤と、音声を捉えるマイクを組み込むとともに、数字や文字等を刻印した複数個の操作キーを配列した操作盤と、受信した変調電波を復調するとともに、変調した電波を送信する無線通信を行う通信部と、メモリーおよびマイクロコンピューターを有し、操作キーを操作すると、プログラムに基づいて、表示パネル、カメラ、および通信部を制御する制御部とを具備する。
【００３６】
制御部のメモリーには、携帯端末の所有者以外の使用（不正使用）を監視する監視プログラムと、所有者が設定した解除コードとが格納されている。
操作盤の上面を表示盤が覆っている状態から操作盤上面が露出する様に表示盤を動かす等の使用準備操作を監視プログラムが検知すると、制御部がカメラおよびマイクを所定時間、作動状態にして、音声付きの動画像を撮影してメモリーへ格納していく。なお、音声データや動画像データは、ビデオＲＡＭでの一時記憶ができないのでメモリーへ格納する必要がある。
【００３７】
使用準備操作を行ったのが携帯端末の所有者の場合には、所定時間の終了から設定時間内に、操作キーから正しい解除コードを入力して所有者確認を行う。この場合には、メモリーへ格納された格納データを削除し、監視プログラムを終了する。そして、通常のプログラムが有効になり、所有者が操作キーを操作すると、操作キーの種別に対応して、表示パネル、カメラ、および通信部が制御される。
【００３８】
使用準備操作を行ったのが不正使用者（所有者以外）の場合には、設定時間内に正しい解除コードを入力できないので、メモリーに格納された格納データ（音声データおよび動画像データ）が削除されずに残る。
【００３９】
携帯端末は、使用準備操作を行うと、監視プログラムにより制御部がカメラおよびマイクを所定時間、作動状態にして音声付きの動画像を撮影するので、使用準備操作を行った不正使用者が映る可能性が高い。そして、メモリーに格納された音声付きの動画像を所有者が見ることにより不正使用者を容易に特定できる。
【００４０】
〔請求項９について〕
携帯端末は、所有者または不正使用者によって使用準備操作が行われると、監視プログラムが使用準備操作を検知し、制御部が内部時計の日時データや位置データ（ＧＰＳ機能等で取得）を取得して、音声付きの動画像とともにメモリーへ格納する。
そして、所定時間の終了から設定時間内に所有者確認ができた場合には、メモリーへ格納された全てのデータを削除する。
これに対して、所有者確認ができなかった場合には、日時データや位置データ、動画像データをメモリーに残す。
このため、メモリーに格納された音声付きの動画像とともに、日時データや位置データを所有者が調べれば、不正使用者が使用準備操作を行った日時や場所が判る。
【００４１】
〔請求項１０について〕
不正使用者が不正に使用準備操作を繰り返し行った場合には、メモリーに残ったデータ（音声付きの動画像データ、日時データ、位置データ）が所定量に達する。
このため、メモリーに残ったデータが所定量に達すると、制御部は、予め設定したアドレスへデータの送信を通信部に指示し、そのアドレスへデータが送信される。
これにより、不正使用者の音声付きの動画像等を所有者が見ることができ、早期に対応することができる。
【発明を実施するための最良の形態】
【００４２】
液晶パネル、カメラ、およびスピーカー等を組み込んだ上側筐体と、マイク、および複数個の操作キーを組み込んだ下側筐体とを備え、机等に二つ折り状態で置かれた携帯電話の上側筐体を開く等の使用準備操作を監視プログラムが検知すると、制御部がカメラを作動状態にして静止画像を撮影する。
【００４３】
使用準備操作の検知から設定時間（例えば５秒以内）に、所有者が操作キーにより正しい解除コードを入力した場合には、制御部が静止画像をメモリーへ格納せず、監視プログラムを終了する。そして、通常のプログラムが有効になり、操作キーを操作すると、操作キーの種別に対応して、液晶パネル、カメラ、および通信部が制御される。
【００４４】
また、不正使用者の場合には、上記設定時間内に正しい解除コードを入力できないので、設定時間が経過すると、制御部が静止画像をメモリーに格納する。
携帯端末は、上側筐体を開く等の使用準備操作を行うと、監視プログラムに基づいて上側筐体に組み込んだカメラを制御部が作動状態にして静止画像を撮影する構成である。
【００４５】
つまり、上側筐体を開く等の使用準備操作を行うと、不正使用者の方向に臨む上側筐体の内側に組み込んだカメラで撮影が行われるので、不正使用者の容姿を撮影できる可能性が高い。そして、メモリーに格納された静止画像を、席に戻った所有者が見ることにより、不正使用者を容易に特定できる。
【実施例１】
【００４６】
本発明の実施例１（請求項１、４、５に対応）を図１および図２に基づいて説明する。  携帯電話Ａは、バイオセンサー１０、マイク１１、複数の操作ボタン１２（操作キー）を組み込んだ下側筐体１と、カメラ２１、スピーカー２２、および液晶パネル２３を組み込んだ上側筐体２とをヒンジ３を用いて折り畳み可能に連結している（図１参照）。
【００４７】
バイオセンサー１０は、指紋を採取するための光学式のセンサーである。
マイク１１は、送話用のものであり、下側筐体１の下部に組み込まれ、小穴が下部内面に開口している。
【００４８】
操作ボタン１２は、各種設定、電話番号の入力、メールの送受信、カメラ２１の作動、文字入力等を行うためのものであり、ボタン毎に異なる数字、文字、または記号が刻印されている。
【００４９】
また、下側筐体１内には、受信回路および送信回路等を有する通信部と、制御部（何れも図示せず）とが配設されている。
通信部の受信回路は、中継局からの電波を内蔵アンテナ（図示せず）で捉えて復調し、音声信号に変換してスピーカー２２に送る。また、送信回路は、マイク１１で捉えた音声を搬送波に重畳した変調波を上記内蔵アンテナから中継局に送信する。
【００５０】
制御部は、メモリー、ＲＯＭ、およびマイクロコンピューター等を有する。
メモリーには、所有者以外の使用（不正使用）を監視する監視プログラム、所有者が撮影した撮影画像、所有者が登録した指紋情報（生体情報）、送受信メール、リダイヤル・着信履歴、アドレス帳等が格納されている。なお、不正使用時には、監視プログラムによりカメラ２１が撮影した静止画像４２が格納される。
【００５１】
ＲＯＭには、通常の制御プログラムが格納されている。
マイクロコンピューターは、監視プログラムが停止している場合には、通常の制御プログラムに基づいて作動する。この場合には、操作キー１２の操作により、液晶パネル２３、カメラ２１、および通信部が制御される。また、監視プログラムが動作している場合には、不正使用を監視する監視動作を実施するとともに、操作キー１２による操作（電源オフ操作も含む）を無効にする。但し、操作キー１２の押圧の有無は検知できるものとする。
【００５２】
カメラ２１は、上側筐体２の下部に組み込まれ、静止画の撮影が可能である。
スピーカー２２は、受話用のものであり、上側筐体２の上部に組み込まれ、小穴が上部内面に開口している。
液晶パネル２３は、メール、電話番号、メッセージ等の様々な通信情報を、画像（静止画、動画）や文字等で表示するためのものである。
【００５３】
つぎに、携帯電話Ａの制御部のマイクロコンピューターの作動を、図２のフローチャートに基づいて説明する。
ステップｓ１において、監視指示を行ったか否かを判別し、監視指示を行った場合（ＹＥＳ）にはステップｓ２へ進み、監視指示を行っていない場合（ＮＯ）にはステップｓ２２へ進む。
なお、携帯電話Ａを携帯しないで所有者が席を離れる場合（職場）、入浴や就寝する場合（自宅）、または携帯電話Ａを携帯しないで所有者が外出する場合には、監視プログラムの起動操作を行って監視プログラムを作動させておく。
【００５４】
ステップｓ２において、有効な生体情報（所有者の指紋データ）がメモリーに登録されているか否か判別し、有効な生体情報が登録されていない場合（ＮＯ）にはステップｓ３に進み、有効な生体情報が登録されている場合（ＹＥＳ）にはステップｓ４へ進む。
ステップｓ３において、所有者が指５０をバイオセンサー１０の上に載せて生体情報（指紋データ）の登録を行い、ステップｓ２へ戻る。なお、静止画像４２の画像ファイルが３以上になった際に自動送信する送信先アドレスも設定する。
【００５５】
ステップｓ４において、監視プログラムを起動し、ステップｓ５に進む。なお、既に作動中の場合には、監視プログラムの作動を継続する。なお、監視プログラムが作動していると、操作キー１２による操作（電源オフ操作も含む）が無効にされる。但し、操作キー１２の押圧の有無は検知できるものとする。
【００５６】
ステップｓ５において、使用準備操作が行われたか否か判別し、使用準備操作が行われた場合（ＹＥＳ）には、ステップｓ６に進み、使用準備操作が行われていない場合（ＮＯ）にはステップｓ４に戻る。
使用準備操作は、図１の（ａ）に示す様な上側筐体２を開く操作（二つ折り状態の場合）、または何れかの操作キー１２を押圧する操作（開いた状態の場合）である。
【００５７】
ステップｓ６において、バイオセンサー１０を起動し、ステップｓ７に進む。なお、戻って来た所有者が監視プログラムの作動を停止する場合には、上側筐体２を開く等の使用準備操作を行ったら、指紋データを登録した指５０を直ちにバイオセンサー１０の上に載せて指紋データを照合させる｛図１の（ｃ）参照｝。
【００５８】
ステップｓ７において、タイマーＴ１の計時を開始し、ステップｓ８に進む。
ステップｓ８において、図１の（ｂ）に示す様に、カメラ２１を作動状態にして静止画を撮影（１回）して液晶パネル２３に表示（ビデオＲＡＭに画像データを一時保存）し、ステップｓ９に進む。また、内部時計から撮影日時を取得する。
【００５９】
ステップｓ９において、タイマーＴ１＞５秒であるか否か判別し、タイマーＴ１＞５秒でない場合（ＮＯ）にはステップｓ１０に進み、タイマーＴ１＞５秒である場合（ＹＥＳ）にはステップｓ１４に進む。
【００６０】
ステップｓ１０において、取り込んだ生体情報が合致しているか否か判別し、生体情報が合致していない場合（ＮＯ）にはステップｓ９に戻り、生体情報が合致している場合（ＹＥＳ）にはステップｓ１１に進む。
【００６１】
ステップｓ１１において、液晶パネル２３に表示中の静止画像４２の表示を終了（ビデオＲＡＭの画像データも消去）し、ステップｓ１２に進む。
ステップｓ１２において、図１の（ｃ）に示す様に、液晶パネル２３に、“本人と確認しました”というメッセージを表示し、ステップｓ１３に進む。
【００６２】
ステップｓ１３において、監視プログラムを終了し、ステップｓ２２に進む。
ステップｓ１４において、バイオセンサー１０を停止し、ステップｓ１５に進む。
ステップｓ１５において、ビデオＲＡＭに一時保存されている静止画像４２のデータを、ステップｓ８で取得した日時とともにメモリーに格納し、ステップｓ１６に進む。
【００６３】
ステップｓ１６において、図１の（ｄ）に示す様に、“不正使用者を撮影しました”というメッセージを液晶パネル２３に表示し、ステップｓ１７に進む。なお、図示しない圧電スピーカーから“ピーポーピーポー”という警告音を出す。
ステップｓ１７において、タイマーＴ１＞３分であるか否か判別し、タイマーＴ１＞３分でない場合（ＮＯ）にはステップｓ１６に戻り、タイマーＴ１＞３分である場合（ＹＥＳ）にはステップｓ１８に進む。
【００６４】
ステップｓ１８において、液晶パネル２３に表示しているメッセージを消去し、ステップｓ１９に進む。
ステップｓ１９において、タイマーＴ１をリセットし、ステップｓ２０に進む。
ステップｓ２０において、メモリーに格納された静止画像４２の画像ファイルが３以上であるか否か判別し、静止画像４２の画像ファイルが３以上である場合（ＹＥＳ）にはステップｓ２１に進み、静止画像４２の画像ファイルが３未満である場合（ＮＯ）にはステップｓ４に戻る。
【００６５】
ステップｓ２１において、図１の（ｅ）に示す様に、メモリーに格納されている静止画像４２を、ステップｓ３で登録した送信先アドレスへ、“携帯電話が不正使用されています”等の定型メールとともに自動送信し、ステップｓ４に戻る。
ステップｓ２２において、携帯電話Ａの制御を通常の制御プログラムに戻して使用可能状態にし、ステップｓ１に戻る。
【００６６】
本実施例の携帯電話Ａは、以下の利点を有する。
携帯電話Ａは、所有者が不在の時に、不正使用者４１が上側筐体２を開く等の使用準備操作（但し監視プログラムが作動中）を行うとカメラ２１が撮影を行い、所有者確認が行われないと静止画像４２がメモリーに格納されるので不正使用者４１の容姿が写る可能性が高い。そして、戻って来た所有者は、監視プログラムの作動を停止した後に静止画像４２を見ることができ、撮影日時も知ることができる。なお、写っている静止画像４２が所有者の知人であれば、不正使用者を特定することができる。
【００６７】
携帯電話Ａは、不正使用者４１が不正使用を断念しても最低、１回は送信先アドレスへ自動送信する構成であるので、不正使用を諦めない不正使用者４１の静止画像４２を所有者が別の情報機器（パソコンや別の携帯電話）で見ることができ、早期に対応することができる。
【００６８】
携帯電話Ａは、本人確認が生体情報（指紋情報）であるので、忘れたり紛失したりしないとともに、不正使用者４１によって盗用されない。
【実施例２】
【００６９】
本発明の実施例２（請求項７、８、９に対応）を図３および図４に基づいて説明する。  携帯電話Ｂは、マイク１１、複数の操作ボタン１２（操作キー）を組み込んだ下側筐体１と、カメラ２１、スピーカー２２、および液晶パネル２３を組み込んだ上側筐体２とをヒンジ３を用いて折り畳み可能に連結している（図３参照）。
【００７０】
操作ボタン１２は、携帯電話Ａと同様、各種設定、電話番号の入力、メールの送受信、カメラ２１の起動、文字入力等を行うためのものであり、ボタン毎に異なる数字、文字、または記号が刻印されている。
【００７１】
また、下側筐体１内には、受信回路および送信回路等を有する通信部と、制御部（何れも図示せず）とが配設されている。
通信部の受信回路は、中継局からの電波を内蔵アンテナ（図示せず）で捉えて復調し、音声信号に変換してスピーカー２２に送る。また、送信回路は、マイク１１で捉えた音声を搬送波に重畳した変調波を上記内蔵アンテナから中継局に送信する。
【００７２】
制御部は、メモリー、ＲＯＭ、およびマイクロコンピューター等を有する。
メモリーには、所有者以外の使用（不正使用）を監視する監視プログラム、所有者が撮影した撮影画像、所有者が登録した解除コード、送受信メール、リダイヤル・着信履歴、アドレス帳等が格納されている。なお、不正使用時には、監視プログラムによりカメラ２１が撮影した動画像５２が格納される。
【００７３】
ＲＯＭには、通常の制御プログラムが格納されている。
マイクロコンピューターは、監視プログラムが停止している場合には、通常の制御プログラムに基づいて作動する。この場合には、操作キー１２の操作により、液晶パネル２３、カメラ２１、および通信部が制御される。また、監視プログラムが動作している場合には、不正使用を監視する監視動作を実施するとともに、操作キー１２による操作（電源オフ操作も含む）を無効にする。但し、操作キー１２の押圧の有無は検知できるものとする。
【００７４】
カメラ２１は、上側筐体２の上部に組み込まれ、動画の撮影が可能である。
スピーカー２２は、受話用のものであり、上側筐体２の上部に組み込まれ、小穴が上部内面に開口している。
液晶パネル２３は、メール、電話番号、メッセージ等の様々な通信情報を、画像（静止画、動画）や文字等で表示するためのものである。
【００７５】
つぎに、携帯電話Ｂの制御部のマイクロコンピュータの作動を、図４のフローチャートに基づいて説明する。
ステップＳ１において、監視指示を行ったか否かを判別し、監視指示を行った場合（ＹＥＳ）にはステップＳ２へ進み、監視指示を行っていない場合（ＮＯ）にはステップＳ２０へ進む。
なお、携帯電話Ｂを携帯しないで所有者が席を離れる場合（職場）、入浴や就寝する場合（自宅）、または携帯電話Ｂを携帯しないで所有者が外出する場合には、監視プログラムの起動操作を行って監視プログラムを作動させておく。
【００７６】
ステップＳ２において、解除コードがメモリーに登録されているか否か判別し、解除コードが登録されていない場合（ＮＯ）にはステップＳ３に進み、解除コードが登録されている場合（ＹＥＳ）にはステップＳ４へ進む。
ステップＳ３において、所有者が操作キー１２を操作して四桁の解除コードの登録を行い、ステップＳ２へ戻る。
【００７７】
ステップＳ４において、監視プログラムを起動し、ステップＳ５に進む。なお、既に作動中の場合には、監視プログラムの作動を継続する。なお、監視プログラムが作動していると、操作キー１２による操作（電源オフ操作も含む）が無効にされる。但し、操作キー１２の押圧の有無は検知できるものとする。
【００７８】
ステップＳ５において、使用準備操作が行われたか否か判別し、使用準備操作が行われた場合（ＹＥＳ）には、ステップＳ６に進み、使用準備操作が行われていない場合（ＮＯ）にはステップＳ４に戻る。
使用準備操作は、図３の（ａ）に示す様な上側筐体２を開く操作（二つ折り状態の場合）、または何れかの操作キー１２を押圧する操作（開いた状態の場合）である。
【００７９】
ステップＳ６において、図３の（ｂ）に示す様に、マイク１１およびカメラ２１を所定時間（５秒間）、作動状態にして撮影（音声付きの動画）を５秒間行って液晶パネル２３に表示するとともにメモリーに格納していくとともに、内部時計から撮影日時を随時、取得する。そして、撮影終了後、ステップＳ７に進む。
【００８０】
ステップＳ７において、タイマーＴ２の計時を開始し、ステップＳ８に進む。
ステップＳ８において、タイマーＴ２＞５秒であるか否か判別し、タイマーＴ２＞５秒でない場合（ＮＯ）にはステップＳ９に進み、タイマーＴ２＞５秒である場合（ＹＥＳ）にはステップＳ１４に進む。
【００８１】
ステップＳ９において、図３の（ｃ）に示す様に、入力フォームを表示するとともに、“解除コードを入力して下さい”というメッセージを液晶パネル２３に表示し、ステップＳ１０に進む。
なお、戻って来た所有者が監視プログラムの作動を停止する場合には、入力フォームが表示されたら、操作キー１２を操作して直ちに解除コードを入力する｛図３の（ｃ）参照｝。
【００８２】
ステップＳ１０において、解除コードが合致しているか否か判別し、解除コードが合致していない場合（ＮＯ）にはステップＳ８に戻り、解除コードが合致している場合（ＹＥＳ）にはステップＳ１１に進む。
【００８３】
ステップＳ１１において、ステップＳ６でメモリー格納された音声付きの動画ファイルを削除し、ステップＳ１２に進む。
ステップＳ１２において、図３の（ｅ）に示す様に、“本人と確認しました”というメッセージを液晶パネル２３に表示し、ステップＳ１３に進む。
ステップＳ１３において、監視プログラムを終了し、ステップＳ１９に進む。
【００８４】
ステップＳ１４において、液晶パネル２３への入力フォームの表示を終了し、ステップＳ１５に進む。
ステップＳ１５において、図３の（ｄ）に示す様に、“撮影しました”というメッセージを液晶パネル２３に表示し、ステップＳ１６に進む。なお、図示しない圧電スピーカーから“ピッピッピー”という警告音を出す。
【００８５】
ステップＳ１６において、タイマーＴ２＞３分であるか否か判別し、タイマーＴ２＞３分でない場合（ＮＯ）にはステップＳ１５に戻り、タイマーＴ２＞３分である場合（ＹＥＳ）にはステップＳ１７に進む。
【００８６】
ステップＳ１７において、液晶パネル２３からメッセージを消去し、ステップＳ１８に進む。なお、図示しない圧電スピーカーから“ピッピッピー”という警告音を出す。
ステップＳ１８において、タイマー２をリセットし、ステップＳ４に戻る。
【００８７】
ステップＳ１９において、携帯電話Ｂの制御を通常の制御プログラムに戻して使用可能状態にし、ステップＳ１に戻る。
【００８８】
本実施例の携帯電話Ｂは、以下の利点を有する。
携帯電話Ｂは、監視プログラムが作動中に、上側筐体２を開く等の使用準備操作を行うと、マイク１１およびカメラ２１を所定時間（５秒間）、作動状態にして撮影（音声付きの動画）を５秒間行い、内部時計から撮影日時を随時、取得してメモリー格納する構成である。そして、解除コードによる本人確認を撮影後に行って、動画ファイルの削除の有無を判断している。
そして、戻って来た所有者は、監視プログラムの作動を停止した後に音声付きの動画像５２を見ることができ、撮影日時も知ることができる。なお、映っている音声付きの動画像５２が所有者の知人であれば、不正使用者を特定することができる。
なお、使用準備操作により、音声付き動画の撮影を５秒間行う構成であるので不正使用者５１の挙動を充分に映し撮ることができ、静止画を撮影する場合に比べ、不正使用者５１の顔が映っている可能性が高い。
【００８９】
携帯電話Ｂは、不正使用者５１が不正使用の試みを諦めず、不正使用を繰り返した場合には、その都度、カメラ２１が５秒間、撮影を行って音声付きの動画像５２をメモリー格納する構成であるので、不正使用を繰り返す不正使用者５１程、その挙動が映っている可能性が高い。
【００９０】
本発明は、上記実施例以外に、つぎの変形例を含む。
〔変形例１〕
携帯電話Ａにおいて、バイオセンサー１０で指紋を入力する代りに、操作ボタン１２で解除コードを入力する様に変更して本人確認を行っても良い（請求項２、３に対応）。
【００９１】
〔変形例２〕
携帯電話Ｂにおいて、操作ボタン１２で解除コードを入力する代わりに、バイオセンサーで本人確認を行っても良い（請求項６に対応）。
なお、バイオセンサーは、指紋読取による指紋照合、音声照合、別のカメラによる顔照合、網膜照合、および手の静脈データの照合等が利用できる。
【００９２】
〔変形例３〕
携帯電話Ｂにおいて、ステップＳ１５において、メモリーに残った、撮影日時データおよび音声付きの動画像ファイルのサイズが所定量（例えば５１２ｋＢ）に達すると、予め設定したアドレスへ送信する構成を付加しても良い（請求項１０に対応）。
【００９３】
〔変形例４〕
携帯端末は、携帯電話以外に、ＰＤＡ等でも良い。
〔変形例５〕
監視プログラムは、最初（携帯電話購入時）からメモリーに格納されている以外に、各種メモリーカードからのインストールやダウンロード等で携帯電話のメモリーに格納しても良い。
【図面の簡単な説明】
【００９４】
【図１】（ａ）〜（ｅ）は、本発明の実施例１に係る携帯電話において、所有者または不正使  用者が使用準備操作を行った場合の携帯電話の挙動を示す説明図である。
【図２】その携帯電話の制御部のマイクロコンピューターの作動を示すフローチャートである。
【図３】（ａ）〜（ｅ）は、本発明の実施例２に係る携帯電話において、所有者または不正使用者が使用準備操作を行った場合の携帯電話の挙動を示す説明図である。
【図４】その携帯電話の制御部のマイクロコンピューターの作動を示すフローチャートである。
【符号の説明】
【００９５】
Ａ、Ｂ  携帯電話（携帯端末）
１  下側筐体（操作盤）
２  上側筐体（表示盤）
１０  バイオセンサー
１１  マイク
１２  操作キー
２１  カメラ
２２  スピーカー
２３  液晶パネル（表示パネル）
【図１】
2007053646.tif 000003
【図２】
2007053646.tif 000004
【図３】
2007053646.tif 000005
【図４】
2007053646.tif 000006